(57)【要約】【課題】  表示プレート部にシール材を真直に見栄え良くかつ円滑に貼着し、一旦貼着した後はシール材を剥がれ難くする。【解決手段】  諸事項を表示するシール材１１を貼着可能な貼着面２ａを有する表示プレート部２を備え、前記表示プレート部２には、前記シール材１１を貼着する際に該シール材１１の位置決めをすべく、該シール材１１の端部１２が挿入される凹条部３を形成し、前記凹条部３は、前記表示プレート部２の貼着面２ａに隣接して更に前記貼着面２ａより下がった位置に形成した。【選択図】  図５
2007033718.tif 000002
【特許請求の範囲】
【請求項１】
諸事項を表示して被取付体に取付けられる表示札であって、
前記諸事項を表示するシール材を貼着可能な貼着面を有する表示プレート部を備え、
前記表示プレート部には、前記シール材を貼着する際に該シール材の位置決めをすべく、該シール材の端部が挿入される凹条部が形成され、
前記凹条部は、前記表示プレート部の貼着面に隣接し、更に前記貼着面より下がった位置に形成されたことを特徴とする表示札。
【請求項２】
前記凹条部は、シール材が表示プレート部の中央に配置される位置に形成されたことを特徴とする請求項１に記載の表示札。
【請求項３】
前記凹条部は、その両端部が表示プレート部の端部から露出しない長さに形成されたことを特徴とする請求項１または請求項２に記載の表示札。
【請求項４】
前記凹条部は、その横断面がＶ字状に形成されたことを特徴とする請求項１乃至請求項３のいずれかに記載の表示札。
【請求項５】
前記表示プレート部に、結束具が挿通する挿通孔が設けられたことを特徴とする請求項１乃至請求項４のいずれかに記載の表示札。
【発明の詳細な説明】
【技術分野】
【０００１】
本発明は、諸事項を表示するシール材が貼着されて、管、ケーブル等の被取付体に取付けられる表示札に関するものである。
【背景技術】
【０００２】
従来より、管、ケーブル等の配管、配線先などを表示するため、配線・配管先等の諸事項を表示する表示札が、前記管、ケーブル等の被取付体に取付けられることが多い。前記表示札は例えば、図１４に示すように、この表示札３１に設けられた挿通孔３３に紐２２、結束線等の結束具を挿通し、この結束具を管、ケーブル等の外周壁に巻回することによって被取付体に取付けている。或いは、断面略Ｃ字状の表示札を管、ケーブル等の外周壁に弾性的に嵌着して直接取付けている。この種の表示札は、例えば、特開２００１−４２７７６公報等に掲載されている。
【０００３】
前記諸事項は表示プレート部３２に直接ペン等で書き込んだり、印刷することによって表示札に表示することができる。また、諸事項を印刷したシール材を表示プレート部３２に貼着して表示することもできる。
【０００４】
ところで、配線、配管等の施工現場などにおいて、表示プレート部にシール材を貼着して諸事項を表示する場合は、通常、目視によって貼着位置を確認しながら行なっているので、図１５に示すように、表示札３４の表示プレート部３５における挿通孔３６の下方スペースにシール材１１を貼着するときに、前記シール材１１を斜めに貼付けて見栄えを損ねてしまうことも多い。なお、予めシール材１１の端部を位置合わせするための目印線を表示プレート部に印刷しておくことも考えられるが、目印線を印刷するための費用が別途必要となるし、目印線が見栄えを低下させることにもなりかねない。
【０００５】
一方、従来より、図１６及び図１７に示すように、表示札３７の表示プレート部３８にシール材１１の形状及び厚さに対応した凹面部３９を設け、この凹面部３９にシール材１１を貼着することも行なわれている。これによれば、シール材１１の貼着範囲が明確であるし、前記凹面部３９は合成樹脂の一体成形により簡単に形成できる。
【特許文献１】特開２００１−４２７７６公報
【発明の開示】
【発明が解決しようとする課題】
【０００６】
ところで、表示プレート部３８に前記凹面部３９を形成した前記表示札３７は、施工業者等が作業現場などにおいてシール材１１を貼着するときに、目視によってシール材１１の端部１２を表示札３７の凹面部３９の外縁の段部４０に沿って位置合わせしながら貼付けている。
【０００７】
しかし、前記表示札３７は、凹面部３９に段部４０が形成されているため、端部１２においてシール材１１を貼着しにくいという不具合があった。また、前記凹面部３９は、通常、該シール材１１の外郭とほぼ同大、同形状に形成され、シール材１１の外郭は前記凹面部３９の外郭を形成している段部４０に接近した位置にあるため、図１８（ａ）に示すように、シール材１１の端部１２が前記段部４０にはみ出したり、更には、図１８（ｂ）に示すように、表示プレート部３８の表面側に飛出てしまうこともあった。なお、前記シール材１１に対して表示部３７の凹面部３９の面積がシール材１１より大き過ぎると、図１５の場合と同様に、前記シール材１１を斜めに貼付けてしまうことがある。このような貼着状態は見栄えを低下させて好ましくないし、シール材１１の端部１２がめくれて表示プレート部３８の凹面部３９から剥がれ易くなるという不具合もあった。
【０００８】
そこで、本発明は、表示プレート部にシール材を真直に見栄え良くかつ円滑に貼着することができ、一旦貼着した後はシール材が剥がれにくい表示札の提供を課題とするものである。
【課題を解決するための手段】
【０００９】
請求項１の表示札は、諸事項を表示して被取付体に取付けられるものであって、前記諸事項を表示するシール材を貼着可能な貼着面を有する表示プレート部を備え、前記表示プレート部には、前記シール材を貼着する際に該シール材の位置決めをすべく、該シール材の端部が挿入される凹条部が形成され、前記凹条部は、前記表示プレート部の貼着面に隣接し、更にこの貼着面より下がった位置に形成されたものである。ここで、前記シール材の端部の凹条部への「挿入」は、前記凹条部の開口面より下がった凹条部内空間に収容する態様の他、前記凹条部の開口面に沿った状態即ち表示プレート部の貼着面に平行した状態で前記凹条部の開口面内に延出する平面的な挿入の態様も含まれる。
【００１０】
前記表示プレート部は諸事項を表示するシール材が貼着される形状をなし、一般には平面状に形成されるが、曲面状などに形成されるものもある。
【００１１】
前記凹条部は、シール材の端部形状に対応して前記表示プレート部に細溝状に形成されている。前記凹条部は、その開口幅が大き過ぎると、外観の低下を招くおそれもあるので、一般にはかなり細い溝形状に形成される。前記凹条部はＶ字溝など任意の形状に形成でき、また、表示プレート部を合成樹脂で形成することによって前記表示プレート部と一体に形成できる。
【００１２】
この凹条部が形成されていることにより、例えば、シール材の先端を斜め上方から凹条部の内壁面に当接するまで挿入して、前記シール材の端部を前記凹条部に沿って簡単に位置決めすることができる。勿論、凹条部の内壁面に当接させることなく前記凹条部を目印としてシール材の先端を凹条部に合わせて位置決めすることもできる。なお、端部を凹条部に位置決めした後は、位置決めされた前記端部を基準としてシール材全体を表示プレート部の貼着面に貼付ければよい。
【００１３】
そして、貼着後は、シール材の端部は凹条部内に挿入され、前記凹条部の開口面に沿った状態で前記凹条部の開口面に延出しており、或いは、更に前記凹条部における前記貼着面より下がった内部空間に収容されており、少なくとも前記表示プレート部の表面より上方には突出しない。このため、シール材の端部が何らかの干渉物と接触し、引掛けられてめくれ易くなるということがなく、また、従来の凹面部が形成された表示札のように、シール材の端部が前記凹面部の外郭の段部にはみ出してめくれ易くなるという不具合も生じない。そして、シール材の先端が凹条部の内壁面に当接した状態で貼着した場合は、凹条部内におけるシール材の端部が該凹条部の内壁面から剥がれて該凹条部の開口側に移動しようとするのを前記シール材の先端が当接している内壁面によって阻止することも可能である。これにより、シール材の剥がれ防止効果がより高められる。
【００１４】
ここで、前記凹条部は、前記シール材の貼着面より下がった位置に形成されていることを要件としたのは、従来の表示プレート部に形成された凹面部のように貼着面が該凹面部に形成されているもの即ち貼着面と凹面部とが同一平面に形成され、前記凹面部自体が貼着面を形成しているものと区別し、これを除外することを明確にするためである。
【００１５】
なお、前記被取付体は、配線材、配管材等に限られるものではなく、表示札が取付けられる各種の資材、物品が該当する。また、シール材は予め、紙、樹脂シートなどに印刷等によって諸事項が表示されているものの他、シール材を表示札に貼着後に、前記シール材に諸事項がペン等で書き込まれるものもある。
【００１６】
次に、請求項２の表示札は、凹条部が、表示プレート部の中央にシール材が配置される位置に形成されている。即ち、前記凹条部は、シール材の端部を凹条部に挿入して貼着したときにシール材の中央と表示プレート部の中央とが一致するような位置に形成されている。
【００１７】
請求項３の表示札は、凹条部が、その両端部が表示プレート部の端部から露出しない長さに形成されている、即ち、凹条部の両端部は表示プレート部の端部から外部に連通することなく該表示プレート部の範囲内に形成されている。したがって、凹条部の両端部から表示プレート部の外縁までの間は凹条部形成による薄肉とはなってはいないから、表示プレート部が前記凹条部で折れ曲がるのが防止される。
【００１８】
請求項４の表示札は、凹条部の横断面がＶ字状に形成されている。したがって、シール材の先端を前記凹条部内に挿入し、前記凹条部の一側の斜壁面に当接することによってシール材を位置決めすることができる。また、シール材は凹条部の他側の斜壁面に平面的に貼着されるので、剥がれにくい。更に、凹条部の両斜壁面間の開き角度を９０度より小さく形成すれば、貼着後に、シール材の端部が凹条部の開口側に移動し、表示プレート部の貼着面に沿った平面状態に戻ろうとすることがあっても、シール材の先端部が当接する一側の斜壁面がその移動を阻止するので、前記シール材の端部が剥がれ、更には、シール材全体が剥離してしまうのがより確実に防止される。
【００１９】
請求項５の表示札は、表示プレート部に、結束具が挿通する挿通孔が設けられたものである。ここで、結束具としては、紐、樹脂製バインド線、金属製バインド線等の結束線などを用いることができる。
【発明の効果】
【００２０】
請求項１の表示札は、表示プレート部の凹条部にシール材の端部を挿入することによって凹条部に沿って円滑に位置決めでき、傾いたり位置ずれすることなく、シール材を正規の位置に見栄え良く貼着することができる。そして、貼着後は、シール材の端部は凹条部内に挿入され、少なくとも前記表示プレート部の表面より上方には突出しないので、前記シール材の端部が何らかの干渉物と接触し、引掛けられて前記シール材がめくれて剥離するのを防止できる。
【００２１】
請求項２の表示札は、凹条部が、表示プレート部の中央にシール材が配置される位置に形成されているので、シール材は表示プレート部の中央にバランス良く配置され、見栄えが良い。
【００２２】
請求項３の表示札は、凹条部が、その両端部が表示プレート部の端部から露出しない長さに形成されているから、前記凹条部の形成によって薄肉となった部分で表示プレート部が折れ曲がるのを防止できる。
【００２３】
請求項４の表示札は、凹条部の横断面がＶ字状に形成されているので、シール材の先端を前記凹条部に挿入して前記凹条部の一側の斜壁面に当接するだけで簡単に位置決めできる。また、シール材の剥がれ防止効果を高めることができる。
【００２４】
請求項５の表示札は、表示プレート部に設けられた挿通孔に結束具を挿通し、これを被取付体に結束することによって各種被取付体に簡単に取付けることができる。
【発明を実施するための最良の形態】
【００２５】
以下、本発明の実施形態を図１乃至図７に基づいて説明する。ここで、図１乃至図３は本発明の実施形態の表示札を示し、図４は前記表示札に貼着されるシール材を示す。
【００２６】
図１乃至図４において、表示札１は管、ケーブル等の被取付体に取付けられて配管、配線先を表示するものであり、矩形平板状の表示プレート部２に凹条部３が形成され、また、被取付体に結束するための結束具が挿通する挿通孔４が形成されたものである。前記表示札１は合成樹脂等を使用して簡単に形成することができる。なお、前記表示プレート部２は矩形平板状に限られるものではなく、他の、例えば、円板形、小判形等の形状に形成されたものであってもよい。
【００２７】
前記表示プレート部２の表面は平滑面に形成され、シール材１１が貼着される貼着面２ａとなっている。前記表示プレート部２は、本実施形態においては、板厚１ｍｍの塩化ビニル樹脂で形成しているが、この板厚、材質に限られるものではない。
【００２８】
前記凹条部３は、図１において、右側端部において外縁から僅かに内部側に離間して前記表示プレート部２の貼着面２ａに隣接した位置に前記外縁に沿って上下方向に形成されている。前記凹条部３はシール材１１の長さに対応してそれより僅かに長く形成されており、その上下両端部は表示プレート部２の上端部及び下端部から内部側に離間している。前記凹条部３の水平方向の位置は、これに貼着されるシール材１１が表示プレート部２の中央に配置されるように、即ち、表示プレート部２の中心線とシール材１１の中心線とが一致するように設定されている。具体的には、貼着される各シール材１１の幅に対応して個々に設定される。
【００２９】
前記凹条部３は横断面即ち図２（ｃ）におけるＡ−Ａ切断線による切断面は、左右対称のＶ字状に形成されており、左斜面３ａと右斜面３ｂとの間の開き角度は９０度より小さく形成されている。具体的には、開口３ｃの幅が０．５ｍｍ、深さが０．４ｍｍの大きさに形成されている。但し、凹条部３はこれらの寸法、開き角度に限定されないことは言うまでもない。
【００３０】
一方、前記表示プレート部２に貼着されるシール材１１は紙、樹脂シートなどに「台所流し」、「洗面」等の諸事項が印刷等によって表示されており、剥離紙を剥離することにより表示プレート２の貼着面２ａに貼付けることができる公知のものである。
【００３１】
次に、このように形成された本実施形態の表示札１にシール材１１を貼着する一方法を図５及び図６に基づいて説明する。ここで、図５及び図６はシール材１１の一貼着方法を示すものであり、図５（ａ）及び図６（ａ）はそれぞれ貼着途中の状態を示す正面図及び底面図、図５（ｂ）及び図６（ｂ）はそれぞれ貼着後の状態を示す正面図及び底面図である。
【００３２】
まず、シール材１１は、図５（ａ）、図６（ａ）に示すように、凹条部３の左斜面３ａと略同一の角度に傾斜した状態で図６（ａ）の貼着面２ａ側から端部１２を前記左斜面３ａに沿う方向に傾斜させて前記凹条部３内に挿入し、先端を右斜面３ｂに当接させる。このとき、前記凹条部３は開口３ｃが０．５ｍｍと小さいが、目視で細かく凹条部３に位置合わせすることなく、単に凹条部３の開口３ｃから挿入するだけで、シール材１１の端部１２全体を簡単かつ正確に凹条部３に沿って位置決めすることができる。そして、この状態で、指或いは爪を押付けて凹条部３内のシール材１１の端部１２を前記凹条部３の左斜面３ａに貼着する。
【００３３】
次に、前記シール材１１の端部１２を押さえて保持しながら表示プレート部２の貼着面２ａと交差する箇所で折曲してこの折曲部１４を中心にシール材１１を全体的に下方に回動して、図５（ｂ）、図６（ｂ）に示すように、貼着面２ａに貼付ける。なお、シール材１１は端部１２が表示プレート部２の凹条部３の左斜面３ａに貼着されているので、回動時に、前記シール材１１は位置ずれすることがない。これにより、前記シール材１１は表示プレート部２の中央に貼着される。なお、貼着後の凹条部３におけるシール材１１の端部１２を拡大して示せば、図７（ａ）の状態となっている。
【００３４】
ここで、このように端部１２が凹条部３に挿入されて貼着されたシール材１１は材質によっては自身の弾発性により前記端部１２が折曲部１４において元の平面状態に復元しようとすることもあるが、それによって前記段部１２が左斜面３ａから剥がれて離脱しようとしても、凹条部３の右斜面３ｂがシール材１１の先端角部１３との当接位置において、前記シール材１１の端部１２が折曲部１４を軸に開口３ｃ側に回動するのを阻止する。その結果、前記シール材１１の端部１２が凹条部３の左斜面３ａから剥離することはない。
【００３５】
なお、上記では、前記シール材１１を傾斜させた状態で凹条部３内に挿入し、右斜面３ｂに当接して貼着する方法を説明したが、この方法に限られるものではなく、シール材１１の左端部側を表示プレート部２の貼着面２ａから僅かに上方に傾斜させて表示プレート部２の貼着面２ａとほぼ平行する状態でシール材１１の先端を凹条部３に目視によって位置合わせし、右斜面３ｂに突き当てることなく、貼付けてもよい。この場合には、図７（ｂ）のように、シール材１１の先端は左斜面３ａの中間部に位置している。或いは、図７（ｃ）のように、シール材１１の先端が水平状態のまま凹条部３の開口３ｃ内に延出する状態で貼着される。なお、この図７（ｃ）の場合も、水平方向から凹条部３の開口３ｃ内に挿入されており、請求項の「シール材の端部が挿入される」要件に含まれる。
【００３６】
ここで、図７（ａ）の場合は、表示プレート部２の右斜面３ｂがシール材１１の先端角部１３と当接し、前記シール材１１の端部１２が開口３ｃ側に回動して剥がれるのを防止しているが、図７（ｂ）の場合は、シール材１１の先端角部１３は表示プレート部２の右斜面３ｂに当接していない。しかし、仮に、シール材１１の端部１２が左斜面３ａから剥がれたとしても、凹条部３内に収容された状態にあり、少なくとも反対側である表示プレート部２の上方に突出することはない。また、図７（ｃ）の場合、シール材１１の端部１２は開口３ｃ面と平行する水平状態に維持されており、少なくとも表示プレート部２の上方に突出するものではない。したがって、シール材１１の端部１２が他の干渉物と接触し、引掛けられてめくれあがることはない。
【００３７】
ここで、図７（ｃ）で示すように、水平状態で貼着されている場合は、凹条部３の両斜面から離間して開口３ｃに浮いた状態にあるので、図７（ａ）、図７（ｂ）に示すような、シール材１１の端部１２が前記凹条部３の左斜面３ａに貼着されて表示プレート部２の貼着面２ａより下がった位置に完全に収容されている場合と比較すると、外部の干渉物による引掛かり防止効果は多少小さくなる。その一方、凹条部３の開口３ｃを延出長さ分だけ平面的に覆うので、前記凹条部３の存在が目立ちにくくなり、外観が向上する。また、シール材１１の端部１２を指や爪で押さえて凹条部３の左斜面３ａに貼付ける手間が省けるという効果もある。
【００３８】
なお、このようにシール材１１が貼着された表示札１は、挿通孔４に紐２２が挿通され、図１４に示すように、この紐２２を管体２１等に結束することにより、前記管体２１等に吊下げられた状態に取付けられる。
【００３９】
次に、上記実施形態の表示札の作用を説明する。
上記表示札１は表示プレート部２にシール材１１の端部１２が挿入される凹条部３が形成されているので、シール材１１の貼着時には、単に、シール材１１の先端を斜め上方から前記凹条部３の右斜面３ｂに当接するまで挿入すれば自ずと該シール材１１は位置決めされ、端部１２を左斜面３ａに貼付けた後は、シール材１１を下方に回動して表示プレート部２の貼着面２ａに貼付ければよく、簡単に位置決めして真直に貼着することができる。また、凹条部３の右斜面３ｂに突当てることなくシール材１１の先端を目視によって凹条部３に沿って位置合わせすることもできる。
【００４０】
そして、貼着後は、シール材１１の端部１２は凹条部３内に挿入され、貼着面２ａより下がった位置にあり、少なくとも表示プレート部２の上方には突出しないため、外部からの作用を受けにくく、他の物品がシール材１１の端部１２に接触して引掛けてしまうのを回避でき、シール材１１がめくれて剥がれてしまうのを防止することができる。
【００４１】
加えて、凹条部３の横断面がＶ字状に形成され、左斜面３ａと右斜面３ｂとの開き角度が９０度より小さく形成されているので、貼着後に、仮に、シール材１１の端部１２が折曲部１４を軸として元の水平状態に復帰しようとしても、前記凹条部３の右斜面３ｂがシール材１１の先端角部１３と当接して前記シール材１１の端部１２の上方への回動を阻止する。その結果、シール材１１の端部１２が剥がれるのが確実に防止される。
【００４２】
また、前記凹条部３は、表示プレート部２の中央にシール材１１が配置される位置に形成されているので、外観的にバランスのとれた配置状態が得られる。
【００４３】
更に、前記凹条部３は、その両端部が表示プレート部２の端部から外部に露出しない長さに形成されており、前記凹条部３の両端部と表示プレート部２の外縁との間は薄肉とはなっていないから、所定の強度を有し、表示プレート部２が凹条部３において折れ曲がるのを防止できる。
【００４４】
次に、凹条部３の変形例を図８及び図９に示す。
まず、図８（ａ）においては、凹条部３は左斜面３ａは傾斜を小さく、右斜面３ｂは大きくしている。したがって、シール材１１の端部１２を凹条部３内に挿入し易い。また、折曲部１４における折曲角度が小さくなり、それに伴って、前記シール材１１の端部１２の水平方向への弾性復元力も小さくなって剥がれ難くなる。更に、左斜面３ａの貼着面積が増し、貼着強度が大きくなっている。そして、右斜面３ｂは傾斜が急であり、シール材１１の端部１２が上方に回動しようとしてもその先端角部１３は前記凹条部３の右斜面３ｂに強く当接し、回動が阻止される。これらによって、シール材１１の端部１２が剥がれるのがより確実に防止される。
【００４５】
次に、図８（ｂ）においては、凹条部３の左斜面３ａの下端から僅かに水平方向に離間して垂直面３ｄが形成されている。この場合には、シール材１１の先端部は左斜面３ａと垂直面３ｄとに挟持され、また、垂直面３ｄによってシール材１１の端部１２の開口３ｃ側への回動がより強く阻止されるので、前記端部１２の剥がれがより確実に防止される。
【００４６】
図８（ｃ）においては、表示プレート部２と凹条部３の左斜面３ａとの接続部が湾曲面に形成されているので、シール材１１の端部１２の凹条部３への挿入をより円滑に行なうことができるとともに、前記シール材１１は形状的に湾曲面である左斜面３ａになじんで貼付け易い。
【００４７】
次に、前記凹条部３は、図９（ａ）に示すように、湾曲面３ｅに形成することもできる。この場合、シール材１１の端部１２の貼着面積を増大させることが可能となるが、凹条部３内が狭いので、湾曲面３ｅ全体に指や爪で確実に押さえることができないことがある。したがって、凹条部３内の空間が小さ過ぎる場合には、図９（ｂ）に示すように、端部１２が湾曲面３ｅから離間した状態で貼着されるおそれもあるため、注意を要する。
【００４８】
ところで、上記実施形態においては、表示札１は紐２２を挿通孔４に挿通し、管体２１に結束しているが、被取付体への取付けはこれに限られるものではなく、例えば、図１０に示すように、表示札１の上端部に結束線２３を一体に接続し、この結束線２３を管体２１に巻回した後、その先端を挿通孔４に挿通して取付けることもできる。前記結束線２３は樹脂製で断面円形の線材に環状突起を長手方向に所定間隔で一体に形成したものであり、前記挿通孔４に前記環状突起を強制的に圧入して結束線２３を所定長さ挿通するだけで、前記環状突起が結束線２３を挿通孔４に抜け止め状態に保持する。したがって、管体２１等への表示札１の取付けを簡単かつ楽に行なうことができる。
【００４９】
次に、上記実施形態の凹条部３は、図１において、表示プレート部２の右側端部に形成しているが、これに限られないことは言うまでもなく、左側端部或いはその双方に形成してもよく、または、上側端部或いは下側端部に形成してもよい。
【００５０】
また、表示プレート部２の幅が大きい表示札１の場合は、図１１に示すように、表示プレート部２の裏面側にも凹条部３を形成し、表面側の凹条部３より表示プレート部２の外縁からの離間距離を大きく形成すれば、１個の表示札１で大小二種類のシール材１１を貼着することができる。加えて、図１１に示すように、挿通孔４は表示プレート部２の下部にも設けてもよい。この場合は、表示プレート部２を軟質合成樹脂材等で形成し、可撓性を有するものとすれば、前記表示プレート部２自体を管体２１等に巻回し、上下の挿通孔４に紐等を挿通して結束することにより、表示札１を管体２１等に直接取付けることができる。
【００５１】
更に、上記実施形態の表示プレート部２は矩形平板状に形成しているが、図１２及び図１３に示すように、断面が略Ｃ字状に形成され、挿入部５が長手方向に沿って形成された表示札１においても同様にしてシール材１１を貼着することができる。この表示札１は挿入部５を弾性的に拡開しながら給水管、給湯管、ケーブル等を内部に挿入することによってこれらに直接嵌着することができるものであり、表示プレート部２の外周面の右寄り位置に長手方向に沿って凹条部３が形成されている。この表示札１の場合も、前記矩形平板状の表示札１と同様に、シール材１１の端部１２を凹条部３内に挿入して位置決めした後、シール材１１の全体を表示プレート部２の貼着面に貼着することができる。
【００５２】
なお、シール材１１はその材質、種類によって特性が相違し、折曲部１４における弾性復元力も異なるので、シール材１１の貼着方法、凹条部３の大きさ、形状等については、上記実施形態に限られることなく、シール材１１に応じて最適なものを選択すればよい。
【図面の簡単な説明】
【００５３】
【図１】本発明の実施形態の表示札の斜視図である。
【図２】図１の表示札を示し、(a)は背面図、(b)は左側面図、(c)は正面図である。
【図３】図２（ｃ）のＡ−Ａ切断線による断面図である。
【図４】図１の表示札に貼着されるシール材の斜視図である。
【図５】（ａ）は図１の表示札の表示プレート部にシール材を貼着する途中の状態を示す正面図、（ｂ）は同じく貼着後の状態を示す正面図である。
【図６】（ａ）は図１の表示札の表示プレート部にシール材を貼着する途中の状態を示す底面図、（ｂ）は同じく貼着後の状態を示す底面図である。
【図７】図１の表示札の凹条部にシール材の端部を挿入した状態を示す要部拡大断面図であり、（ａ）は前記シール材の先端を凹条部の右斜面に当接した状態を示し、（ｂ）は前記シール材の先端を凹条部の左斜面の途中まで挿入した状態を示し、（ｃ）は前記シール材の先端を水平状態で凹条部の開口に挿入した状態を示す。
【図８】（ａ）は図１の表示札の凹条部の変形例を示す要部拡大断面図、（ｂ）は別の変形例を示す要部拡大断面図、（ｃ）は更に別の変形例を示す要部拡大断面図である。
【図９】（ａ）は図１の表示札の凹条部の更に別の変形例を示す要部拡大断面図、（ｂ）は（ａ）の凹条部へのシール材の他の貼着状態を示す要部拡大断面図である。
【図１０】図１の表示札を管体に取付けた状態を示す斜視図である。
【図１１】本発明の別の実施形態の表示札を示す正面図である。
【図１２】本発明の更に別の実施形態の表示札を示す斜視図である。
【図１３】図１２の表示札の横断面図である。
【図１４】従来の表示札の斜視図である。
【図１５】従来の表示札にシール材を貼着した状態を示す正面図である。
【図１６】従来の別の表示札の正面図である。
【図１７】図１６のＢ−Ｂ切断線による断面図である。
【図１８】（ａ）は図１６の表示札にシール材を貼着した状態を示す要部拡大断面図、（ｂ）は（ａ）と別の貼着状態を示す要部拡大断面図である。
【符号の説明】
【００５４】
１    表示札
２    表示プレート部
３    凹条部
３ａ  左斜面
３ｂ  右斜面
３ｃ  開口
３ｄ  垂直面
３ｅ  湾曲面
４    挿通孔
１１    シール材
１２    端部
２１    管体
２２    紐
２３    結束線
【図１】
2007033718.tif 000003
【図２】
2007033718.tif 000004
【図３】
2007033718.tif 000005
【図４】
2007033718.tif 000006
【図５】
2007033718.tif 000007
【図６】
2007033718.tif 000008
【図７】
2007033718.tif 000009
【図８】
2007033718.tif 000010
【図９】
2007033718.tif 000011
【図１０】
2007033718.tif 000012
【図１１】
2007033718.tif 000013
【図１２】
2007033718.tif 000014
【図１３】
2007033718.tif 000015
【図１４】
2007033718.tif 000016
【図１５】
2007033718.tif 000017
【図１６】
2007033718.tif 000018
【図１７】
2007033718.tif 000019
【図１８】
2007033718.tif 000020